(57)【要約】【課題】タブレットＰＣに関し、横置き姿勢および縦置き姿勢のいずれでも使用でき、軽量に作られることができ、空気の排出開口部や無線通信の受信手段を含むタブレットＰＣを提供することを目的とする。【解決手段】タブレットＰＣ１０は、矩形状の本体１２と、本体１２の一側部２２に配置され且つアッパカバーと少なくとも部分的にオーバーラップして配置されたバッテリ２８と、バッテリ２８が配置された本体の側部２２に隣接する側部２０に配置されたペンホルダと、バッテリが配置された本体の側部２２と対向する側部２３とペン２４が配置された側部２０と対向する側部２１との間のコーナー部に又はコーナー部の近くに配置された空気の排出開口部５２と、ペンホルダが配置された本体の側部２０に配置された無線通信の受信手段５４とを備えた構成とする。【選択図】　　　図１
2004013843.tif 000002
【特許請求の範囲】
【請求項１】
ロアカバーと該ロアカバーを覆うアッパカバーとからなる矩形状の本体と、該本体の一側部に配置され且つアッパカバーと少なくとも部分的にオーバーラップして配置されたバッテリと、該バッテリが配置された本体の側部に隣接する側部に配置されたペンホルダと、該バッテリが配置された本体の側部と対向する側部と該ペンが配置された側部と対向する側部との間のコーナー部に又はコーナー部の近くに配置された空気の排出開口部と、該ペンホルダが配置された本体の側部に配置された無線通信の受信手段とを備えたことを特徴とする情報処理装置。
【請求項２】
該無線通信の受信手段は受光素子を含み、該受光素子は該受光素子が設けられた本体の側部に対して斜めに配置されることを特徴とする請求項１に記載の情報処理装置。
【請求項３】
第１群の複数のコネクタが該バッテリが配置された本体の側部と対向する側部に設けられ、第２群の複数のコネクタが該ペンホルダが配置された本体の側部と対向する側部に設けられることを特徴とする請求項１に記載の情報処理装置。
【請求項４】
ロアカバーと該ロアカバーを覆うアッパカバーとからなる矩形状の本体と、該本体の一側部に配置され且つアッパカバーと少なくとも部分的にオーバーラップして配置されたバッテリと、該バッテリが配置された本体の側部に隣接する側部に配置されたペンホルダとを備えたことを特徴とする情報処理装置。
【請求項５】
ロアカバーと該ロアカバーを覆うアッパカバーとからなる矩形状の本体と、該本体の一側部に配置され且つアッパカバーと少なくとも部分的にオーバーラップして配置されたバッテリと、該バッテリが配置された本体の側部と対向する側部と該ペンが配置された側部と対向する側部との間のコーナー部に又はコーナー部の近くに配置された空気の排出開口部とを備えたことを特徴とする情報処理装置。
【発明の詳細な説明】
【０００１】
【発明の属する技術分野】
本発明は情報処理装置に関する。
【０００２】
【従来の技術】
タブレットＰＣは、ペンで入力を行うことができる平板型の矩形状のパーソナルコンピュータである。本発明は、横置き姿勢および縦置き姿勢のいずれでも使用できるようにしたタブレットＰＣを提供するものである。従来、横置き姿勢および縦置き姿勢のいずれでも使用できるようにしたタブレットＰＣは知られていない。
【０００３】
【発明が解決しようとする課題】
タブレットＰＣは、手で持って使用されるために、できるだけ薄く、かつ軽量に構成されることが要求される。タブレットＰＣが手で持って横置き姿勢で使用される場合、タブレットＰＣの本体の長辺側部を水平にして、下側に位置する長辺側部を手で持つのが好便である。一方、タブレットＰＣが手で持って縦置き姿勢で使用される場合、タブレットＰＣの本体の短辺側部を水平にして、下側に位置する短辺側部を手で持つのが好便である。
【０００４】
一方、タブレットＰＣは内部で発生した熱を放熱するために空気の排出開口部を備える。最近のＰＣでは、冷却ファンがＰＣの内部に配置されており、ＰＣの内部で発生した熱を空気の排出開口部を通して外部へ放熱することが行われている。また、タブレットＰＣはキーボードやマウスから無線によって入力されることができるようになっており、無線の受信手段を含む。空気の排出開口部や受信手段は、タブレットＰＣが横置き姿勢および縦置き姿勢のいずれで使用される場合でも、有効に機能するように配置されるが必要である。
【０００５】
本発明の目的は、横置き姿勢および縦置き姿勢のいずれでも使用でき、軽量に作られることができ、空気の排出開口部や無線通信の受信手段を含む情報処理装置を提供することである。
【０００６】
【課題を解決するための手段】
本発明による情報処理装置は、ロアカバーと該ロアカバーを覆うアッパカバーとからなる矩形状の本体と、該本体の一側部に配置され且つアッパカバーと少なくとも部分的にオーバーラップして配置されたバッテリと、該バッテリが配置された本体の側部に隣接する側部に配置されたペンホルダと、該バッテリが配置された本体の側部と対向する側部と該ペンが配置された側部と対向する側部との間のコーナー部に又はコーナー部の近くに配置された空気の排出開口部と、該ペンホルダが配置された本体の側部に配置された無線通信の受信手段とを備えたことを特徴とするものである。
【０００７】
この構成によれば、バッテリを本体の一側部に配置することにより、小型で軽量のタブレットＰＣを得ることができ、そして、アッパカバーをバッテリとオーバーラップさせることにより、タブレットＰＣを保持する際に本体の強度を確保する。空気の排出開口部は、タブレットＰＣが横置きの姿勢又は縦置きの姿勢のいずれで使用された場合にも、常にタブレットＰＣの上方の位置に位置し、温かくなった空気を外部に排出することができる。さらに、無線通信の受信手段は、タブレットＰＣが横置きの姿勢又は縦置きの姿勢のいずれで使用された場合にも、無線の信号を受信することができる。
【０００８】
【発明の実施の形態】
以下本発明の実施例について図面を参照して説明する。図１は本発明の実施例によるタブレットＰＣを示す斜視図であり、図２はバッテリが本体から取り外された状態の図１のタブレットＰＣを示す斜視図である。図３は底部から見た図１のタブレットＰＣを示す底部斜視図であり、図４はバッテリが本体から取り外された状態の図３のタブレットＰＣを示す底部斜視図である。
【０００９】
図１から図４において、タブレットＰＣ１０は、平板型の矩形状の本体１２からなる。本体１２は、ロアカバー１４と、ロアカバー１４を覆うアッパカバー１６とからなる。表示部１８が本体１２の表面に設けられる。図示しない電子部材及びプリント基板が本体１２の内部に配置される。本体１２は、対向する第１及び第２の長辺側部２０、２１と、対向する第１及び第２の短辺側部２２、２３とを有する。
【００１０】
タブレットＰＣ１０は、ペン２４で入力を行うことができるパーソナルコンピュータである。図７はタブレットＰＣの内部を示す平面図である。ペン２４は、第１の長辺側部２０に沿って設けられたペンホルダ２６に収容されている。ペンホルダ２６は第２の短辺側部２３に向かって開口する略円筒状の容器であり、第１の長辺側部２２の上端から下向きに第１の長辺側部２０の中間部まで延びる。ペン２４は使用時にはペンホルダ２６から取り出される。例えば、ペン２４はコイルを含み、本体１２はアンテナを含む。アンテナとコイルとの相互作用によりペン２４で入力を行うことができる。ペン２４は、表示部１８に向かってクリックしたり、あるいは表示部１８に接触させることにより、タブレットＰＣ１０に入力を行うことができる。
【００１１】
バッテリ２８が本体１２の第１の短辺側部２２に配置され且つアッパカバー１４とオーバーラップして配置される。図４によく示されるように、バッテリ収容部３０が本体１２の第１の短辺側部２２に設けられており、バッテリ２８は矢印で示されるように本体１２の第１の短辺側部２２のバッテリ収容部３０に挿入される。
【００１２】
バッテリ収容部３０は開口部３１Ａを有する端部壁３１を有する。ロアカバー１４の底壁はバッテリ収容部３０の端部壁３１で終端し、アッパカバー１４はバッテリ収容部３０の端部壁３１を越えて延びる。従って、バッテリ２８が本体１２に装着された状態では、バッテリ２８はアッパカバー１４とオーバーラップするが、ロアカバー１４の底壁からは実質的に露出している。バッテリ２８の幅はほぼ本体１２の幅と等しい。
【００１３】
例えば、バッテリ２８が本体１２の内部に配置された場合を考えると、バッテリ２８は本体１２の内部の電子部品と重なるように配置されるので、本体１２全体の厚さが厚くなり、本体１２の重量が増加する。バッテリ２８を本体１２の第１の短辺側部２２に配置することにより、バッテリ２８は本体１２の内部の電子部品と重ならずに電子部品の延長線上に配置することができ、本体１２の厚さをバッテリ２８の厚さとほぼ等しい値まで低減することができ、それによって本体１２の重量を低減することができる。そして、バッテリ２８がアッパカバー１４とオーバーラップするように構成することにより、バッテリ２８を単に本体１２の側部に取りつけた場合よりもバッテリ２８の周囲の部分の強度を大きくすることができる。
【００１４】
図５はバッテリ２８を本体１２に取り付ける際の図４のタブレットＰＣを示す底部斜視図である。図５においては、ロアカバー１４の一部が破断して示され、本体１２の内部のプリント基板４２が示されている。図４及び図５に示されるように、本体１２のバッテリ収容部３０の側部壁はガイド３２を有し、バッテリ２８の側部はガイド溝３４を有する。従って、バッテリ２８は、ガイド溝３４をガイド３２に摺動させながらバッテリ収容部３０に挿入されることができる。
【００１５】
バッテリ２８は先端部にロック爪３６を有し、バッテリ収容部３０の端部壁３１はロック爪３８を有する。ロック爪３８はばね４０により付勢されている。バッテリ２８がバッテリ収容部３０に挿入されるときに、ロック爪３６がロック爪３８を横に押しながらロック爪３８の後部に入り、ロック爪３８はばね４０によって戻されてロック爪３６と係合し、バッテリ２８を本体１２に対してロックする。
【００１６】
図６（Ａ）はバッテリ２８がバッテリ収容部３０に挿入された状態の図５のタブレットＰＣを示す底面図である。図６（Ｂ）は図６（Ａ）のタブレットＰＣを示す斜視図である。図６においては、ロアカバー１４は取り外されている。図５及び図６において、本体１２の内部にはバッテリ収容部３０の端部壁３１の近くまで延びるプリント基板４２が配置される。第１のコネクタ４４がプリント基板４２に固定されている。第１のコネクタ４４は端部壁３１の開口部３１Ａからバッテリ収容部３０に露出されている。
【００１７】
バッテリ２８は先端部に第２のコネクタ４６を有し、バッテリ２８がバッテリ収容部３０に挿入されたときに、第２のコネクタ４６が第１のコネクタ４４に嵌合するようになっている。第１のコネクタ４４は端子４７を有し、端子４７ははんだによってプリント基板４２の端子に接続される。図８においては、ロック爪３８がロック爪３６と係合し、第２のコネクタ４６が第１のコネクタ４４に嵌合している。コネクタ４６はピン状又は穴状の端子及び端子を囲むコネクタケース４６Ａを有する。４７はストッパである。
【００１８】
図９は図１の第２の短辺側部２３と第２の長辺側部２１との間のコーナー部１２Ａから見たタブレットＰＣを示す斜視図である。空気の排出開口部５２が本体１２の第２の短辺側部２３と第２の長辺側部２１との間のコーナー部１２Ａ又はコーナー部１２Ａの近くに設けられる。すなわち、空気の排出開口部５２は、バッテリ２８が配置された第１の短辺側部２２と対向する第２の短辺側部２３と、ペン２４が配置された第１の長辺側部２０と対向する第２の長辺側部２１との間のコーナー部１２Ａの近くに配置される。実施例においては、空気の排出開口部５２は、第２の長辺側部２１の前記コーナー部１２Ａの近くの位置に設けられる格子状の開口部である。
【００１９】
図７及び図８は本体の内部に配置されたヒーントシンク及びファンを示している。ＣＰＵ５３Ａが本体１２の内部に配置され、ＣＰＵ５３Ａは使用時に熱を発生する。ヒートシンク５３ＢがＣＰＵ５３Ａに接触して配置され、ヒートパイプ５３Ｃの一端がヒートシンク５３Ｂに接触して配置されている。フィン５３Ｄが曲げられたヒートパイプ５３Ｃの他端に設けられ、ファン５３Ｅがフィン５３Ｄと平行に冷却空気を送るように配置される。ファン５３Ｅは空気の排出開口部５２に向かって冷却空気の流れを生成する。
【００２０】
図１及び図９に示されるように、無線通信の受信手段５４が第１の長辺側部２０の中間部に設けられている。無線通信の受信手段５４は、ペン２４を収容するペンホルダ２６の先端よりも少し第１の短辺側部２２寄りで、第１の短辺側部２２からある程度離れた位置に設けられる。無線通信の受信手段５４はキーボードやマウスから発信された無線の信号を受けることができるようになっている。実施例においては、キーボードやマウスは赤外線の信号を発信し、受信手段５４は赤外線の受光素子５４ａを含む。
【００２１】
図１０は図１の第１の長辺側部２０と第２の短辺側部２３との間のコーナー部１２Ｂから見たタブレットＰＣを示す斜視図である。ペン２４が第１の長辺側部２０に配置されている。
【００２２】
図１１は赤外線の受光素子５４ａを有する本体１２の第１の長辺側部２０を示す部分拡大平面図、図１２は赤外線の受光素子５４ａを有する本体１２の第１の長辺側部２０を示す部分拡大側面図である。赤外線の受光素子５４ａは本体１２の第１の長辺側部２０に対して下向きに斜め４５度で配置されている。図１及び図１０においては、赤外線の受光素子５４ａを覆う透過カバーが配置されているが、図１１及び図１２においては、赤外線の受光素子５４ａを覆う透過カバーは取り外してある。
【００２３】
図１３は横置きの姿勢で使用する場合のタブレットＰＣ１０を示す平面図である。図１３において、タブレットＰＣ１０が横置きの姿勢で使用される場合には、ペン２４が配置されている第１の長辺側部２０を下側にし、第２の長辺側部２１を上側にする。表示部１８は横に長い画面となる。第１の長辺側部２０を手でもち、ペン２４で入力作業を行うことができる。ペン２４はペンホルダ２６から右手で取り出しやすい位置にある。さらに、空気の排出開口部５２は上側にある第２の長辺側部２１にあるので、温かくなった空気は上向きに流れ、空気の排出開口部５２から流出することができる。
【００２４】
図１４は縦置きの姿勢で使用する場合のタブレットＰＣ１０を示す平面図である。図１４において、タブレットＰＣ１０が縦置きの位置で使用される場合には、バッテリ２８が配置されている第１の短辺側部２２を下側にし、第２の短辺側部２３を上側にする。表示部１８は縦に長い画面となる。第１の短辺側部２２を手でもち、ペン２４で入力作業を行うことができる。この場合にも、ペン２４はペンホルダ２６から右手で取り出しやすい位置にある。さらに、空気の排出開口部５２は第２の長辺側部２１の上端部近くにあるので、温かくなった空気は上向きに流れ、空気の排出開口部５２から流出することができる。
【００２５】
図１３及び図１４において、本体１２の表面には複数の操作ボタンが並んでいる。そのうちの一つのボタン５６を押すと、表示部１８の表示がタブレットＰＣ１０を横置きの姿勢で使用するのに適した表示と縦置きの姿勢で使用する場合のに適した表示との間で、切り換わるようになっている。このように表示が切り換わるようにしたソフトウエアは、例えばマイクロソフト社から市場に提供されている。
【００２６】
さらに、タブレットＰＣ１０は複数のＩＯ用コネクタを含んでいる。図３に示されるように、多くのＩＯ用コネクタ５８は第２の長辺側部２１に設けられる。例えば、無線ＬＡＮアンテナ５８ａ、ＭＯＤＥＭコネクタ５８ｂ、ＬＡＮコネクタ５８ｃ、ＶＧＡコネクタ５８ｄ、ＡＣアダプタ５８ｅが第２の長辺側部２１に設けられる。さらに、セキュリティキー用のキーホール６０が第２の長辺側部２１に設けられる。
【００２７】
同様に、図９及び図１０に示されるように、複数のＩＯ用コネクタ６２が第２の短辺側部２３に設けられる。例えば、これらのＩＯ用コネクタ６２は、ＩＥＥＥ１３９４コネクタ、ヘッドホンコネクタ、マイクコネクタ、赤外線ポート、ＰＣカードスロット、ＵＳＢコネクタ等である。このように、本体１２の４つの側部２０、２２、２１、２３のうち、２つの長辺側部２０及び短辺側部２２にバッテリ２８及びペンホルダ２６を配置してそれらの側部の一つを手でもつことができるようにするとともに、２つの長辺側部２１及び短辺側部２３にコネクタ５８及びコネクタ６２を配置し、コネクタ５８及びコネクタ６２が手で力を受けないようにしている。
【００２８】
図１５は赤外線の受光素子５４ａの作用を説明するための図１３と同様の横置きのタブレットＰＣ１０を示す平面図である。図１６は赤外線の受光素子５４ａの作用を説明するための図１４と同様の縦置きのタブレットＰＣ１０を示す平面図である。市場において入手可能な赤外線の受光素子５４ａは、受光素子５４ａのレンズを通りかつ受光素子５４ａの軸線に垂直な平面よりも前から入射する赤外線を感知することができ、前記平面よりも後から入射する赤外線を感知することができない。
【００２９】
図１５に示されるようにタブレットＰＣ１０が横置きの姿勢で使用される場合には、図１５に斜線で示した領域から発信される赤外線の信号を受信することができる。図１６に示されるようにタブレットＰＣ１０が縦置きの姿勢で使用される場合には、図１６に斜線で示した領域から発信される赤外線の信号を受信することができる。このように、赤外線の受光素子５４ａを第１の長辺側部２０の中間位置付近に配置し、かつ赤外線の受光素子５４ａを斜めに角度をつけて配置することにより、単一の赤外線の受光素子５４ａが広い範囲にわたって赤外線の信号を受信することができ、タブレットＰＣ１０が横置きの姿勢で使用される場合でも、縦置きの位置で使用される有効に機能する。
【００３０】
図１７は縦置きの姿勢のタブレットＰＣ１０を支持することのできるドッキングユニット６４を示す斜視図である。図１８は縦置きの姿勢のタブレットＰＣ１０を支持したドッキングユニット６４を示す斜視図である。図１９は横置きの姿勢のタブレットＰＣ１０を支持したドッキングユニット６４を示す斜視図である。タブレットＰＣ１０は上記したように手でもって使用できるばかりでなく、図１７から図１９に示されるように、ドッキングユニット６４に取りつけて使用されることもできる。この場合、タブレットＰＣ１０はドッキングユニット６４上で回転し、横置きの姿勢又は縦置きの姿勢でセットされることができる。ドッキングユニット６４はタブレットＰＣ１０を支持するばかりでなく、タブレットＰＣ１０の機能を拡張する手段を有する。
【００３１】
（付記１）　ロアカバーと該ロアカバーを覆うアッパカバーとからなる矩形状の本体と、該本体の一側部に配置され且つアッパカバーと少なくとも部分的にオーバーラップして配置されたバッテリと、該バッテリが配置された本体の側部に隣接する側部に配置されたペンホルダと、該バッテリが配置された本体の側部と対向する側部と該ペンが配置された側部と対向する側部との間のコーナー部に又はコーナー部の近くに配置された空気の排出開口部と、該ペンホルダが配置された本体の側部に配置された無線通信の受信手段とを備えたことを特徴とする情報処理装置。
【００３２】
（付記２）　該本体の内部に配置された電子部材と、該電子部材の発生する熱を該空気の排出開口部に向かって流すためのファンとを含むことを特徴とする請求項１に記載の情報処理装置。
【００３３】
（付記３）　該本体は一対の長辺側部と一対の短辺側部とを有し、該バッテリが該本体の短辺側部に配置されることを特徴とする請求項１に記載の情報処理装置。
【００３４】
（付記４）　該無線通信の受信手段は受光素子を含み、該受光素子は該受光素子が設けられた本体の側部に対して斜めに配置されることを特徴とする請求項１に記載の情報処理装置。
【００３５】
（付記５）　第１群の複数のコネクタが該バッテリが配置された本体の側部と対向する側部に設けられ、第２群の複数のコネクタが該ペンホルダが配置された本体の側部と対向する側部に設けられることを特徴とする請求項１に記載の情報処理装置。
【００３６】
（付記６）　ロアカバーと該ロアカバーを覆うアッパカバーとからなる矩形状の本体と、該本体の一側部に配置され且つアッパカバーと少なくとも部分的にオーバーラップして配置されたバッテリと、該バッテリが配置された本体の側部に隣接する側部に配置されたペンホルダとを備えたことを特徴とする情報処理装置。
【００３７】
（付記７）　ロアカバーと該ロアカバーを覆うアッパカバーとからなる矩形状の本体と、該本体の一側部に配置され且つアッパカバーと少なくとも部分的にオーバーラップして配置されたバッテリと、該バッテリが配置された本体の側部と対向する側部と該ペンが配置された側部と対向する側部との間のコーナー部に又はコーナー部の近くに配置された空気の排出開口部とを備えたことを特徴とする情報処理装置。
【００３８】
【発明の効果】
以上説明したように、本発明によれば、横置き姿勢および縦置き姿勢のいずれでも使用でき、軽量に作られることができ、空気の排出開口部や無線通信の受信手段を含むタブレットＰＣを得ることができる。
【図面の簡単な説明】
【図１】図１は本発明の実施例によるタブレットＰＣを示す斜視図である。
【図２】図２はバッテリが本体から取り外された状態の図１のタブレットＰＣを示す斜視図である。
【図３】図３は底部から見た図１のタブレットＰＣを示す底部斜視図である。
【図４】図４はバッテリが本体から取り外された状態の図３のタブレットＰＣを示す底部斜視図である。
【図５】図５はバッテリを本体に取り付ける際の図４のタブレットＰＣを示す底部斜視図である。
【図６】図６はバッテリがバッテリ収容部に挿入された状態の図５のタブレットＰＣを示し、（Ａ）は底面図、（Ｂ）は斜視図である。
【図７】図７はタブレットＰＣの内部を示す平面図である。
【図８】図８は図７のタブレットＰＣの内部を示す拡大平面図である。
【図９】図９は図１の第２の短辺側部と第２の長辺側部との間のコーナー部から見たタブレットＰＣを示す斜視図である。
【図１０】図１０は図１の第１の長辺側部と第２の短辺側部との間のコーナー部から見たタブレットＰＣを示す斜視図である。
【図１１】図１１は赤外線の受光素子を有する本体の第１の長辺側部を示す部分拡大平面図である。
【図１２】図１２は赤外線の受光素子を有する本体の第１の長辺側部を示す部分拡大側面図である。
【図１３】図１３は横置きの姿勢で使用する場合のタブレットＰＣを示す平面図である。
【図１４】図１４は縦置きの姿勢で使用する場合のタブレットＰＣを示す平面図である。
【図１５】図１５は赤外線の受光素子の作用を説明するための図１３と同様の横置きの姿勢のタブレットＰＣを示す平面図である。
【図１６】図１６は赤外線の受光素子の作用を説明するための図１４と同様の縦置きの姿勢のタブレットＰＣを示す平面図である。
【図１７】図１７はタブレットＰＣを支持することのできるドッキングユニットを示す斜視図である。
【図１８】図１８は縦置きの姿勢のタブレットＰＣを支持したドッキングユニットを示す斜視図である。
【図１９】図１９は横置きの姿勢のタブレットＰＣを支持したドッキングユニットを示す斜視図である。
【符号の説明】
１０…タブレットＰＣ
１２…本体
１４…ロアカバー
１６…アッパカバー
１８…表示部
２０、２１…長辺側部
２２、２３…短辺側部
２４…ペン
２６…ペンホルダ
２８…バッテリ
３０…バッテリ収容部
３１…端部壁
４２…プリント基板
４４…コネクタ
４６…コネクタ
５２…空気の排出開口部
５４…受信手段
６４…ドッキングユニット
【図１】
2004013843.tif 000003
【図２】
2004013843.tif 000004
【図３】
2004013843.tif 000005
【図４】
2004013843.tif 000006
【図５】
2004013843.tif 000007
【図６】
2004013843.tif 000008
【図７】
2004013843.tif 000009
【図８】
2004013843.tif 000010
【図９】
2004013843.tif 000011
【図１０】
2004013843.tif 000012
【図１１】
2004013843.tif 000013
【図１２】
2004013843.tif 000014
【図１３】
2004013843.tif 000015
【図１４】
2004013843.tif 000016
【図１５】
2004013843.tif 000017
【図１６】
2004013843.tif 000018
【図１７】
2004013843.tif 000019
【図１８】
2004013843.tif 000020
【図１９】
2004013843.tif 000021